(57)【要約】      （修正有）【課題】作物の栽培に適した農地、又はある農地における栽培に適した作物を簡便に予測する。【解決手段】農地における栽培に好適な作物または作物の栽培に好適な農地を出力する農地管理サーバであって、農地の１以上の農地情報を取得する農地情報取得手段と、作物の好適栽培条件を取得する栽培条件取得手段と、農地情報及び作物の好適栽培条件との比較に基づいて、農地と作物を関連づけた点数を算出する算出手段と、目的の農地における栽培に好適な作物または目的の作物の栽培に好適な農地に関する要求を受け付ける要求受付手段と、要求が目的の農地における栽培に好適な作物の要求である場合、目的の農地に対する点数が所定条件を満たす作物を出力し、要求が前記目的の作物の栽培に好適な農地の要求である場合、目的の作物に対する点数が所定条件を満たす農地を出力する出力手段と、を備える。【選択図】図１
2017072900.tif 000002
【特許請求の範囲】
【請求項１】
農地における栽培に好適な作物または作物の栽培に好適な農地を出力する農地管理サーバであって、
前記農地管理サーバは、
農地の１以上の農地情報を取得する農地情報取得手段と、
作物の好適栽培条件を取得する栽培条件取得手段と、
前記農地情報及び前記作物の好適栽培条件との比較に基づいて、前記農地と前記作物を関連づけた点数を算出する算出手段と、
目的の農地における栽培に好適な作物または目的の作物の栽培に好適な農地に関する要求を受け付ける要求受付手段と、
前記要求が前記目的の農地における栽培に好適な作物の要求である場合、該目的の農地に対する前記点数が所定条件を満たす作物を出力し、前記要求が前記目的の作物の栽培に好適な農地の要求である場合、該目的の作物に対する前記点数が所定条件を満たす農地を出力する出力手段と、
を備える農地管理サーバ。
【請求項２】
前記農地情報は、
（１）農地の土壌群分類又は土性
（２）農地において栽培されたことのある作物、栽培年及び後作に不適な作物
（３）日間又は月間の日照時間又は日射量
（４）１〜１２月の、少なくとも１月の最低及び／又は最高気温
（５）１〜１２月の、少なくとも１月の最低及び／又は最高地温
（６）１〜１２月の少なくとも１月の、月平均の１日の気温差
（７）１〜１２月の少なくとも１月の月間降水量、又は年間の降水量
（８）栽培に使用する水のｐＨ、化学的酸素要求量、浮遊物質濃度、溶存酸素量、全窒素濃度、電気伝導度、ヒ素濃度、亜鉛濃度、銅濃度から選ばれる少なくとも１つ
（９）土壌ｐＨ
（１０）農地の陽イオン交換量及び／又は塩基飽和度
のうちの少なくとも一つを含む、
請求項１に記載の農地管理サーバ。
【請求項３】
前記農地情報取得手段は、前記農地情報の１以上を、前記農地管理サーバに通信可能に接続されたデータ端末から一定時間ごとに取得する、請求項１または２に記載の農地管理サーバ。
【請求項４】
前記点数は、作物の栽培に重要な条件に対し重み付けされて計算される、請求項１〜３のいずれか１項に記載のサーバ。
【請求項５】
農地情報取得手段、栽培条件取得手段、算出手段、要求受付手段、及び出力手段を有する農地管理サーバによって、農地における栽培に好適な作物または作物の栽培に好適な農地を予測する農地管理方法であって、
農地情報取得手段が農地の１以上の農地情報を取得する工程と、
栽培条件取得手段が作物の好適栽培条件を取得する工程と、
算出手段が、前記農地情報及び前記作物の好適栽培条件との比較に基づいて、前記農地と前記作物を関連づけた点数を算出する工程と、
要求受付手段が、目的の農地における栽培に好適な作物または目的の作物の栽培に好適な農地に関する要求を受け付ける工程と、
出力手段が、前記要求が前記目的の農地における栽培に好適な作物の要求である場合、該目的の農地に対する前記点数が所定条件を満たす作物を出力し、前記要求が前記目的の
作物の栽培に好適な農地の要求である場合、該目的の作物に対する前記点数が所定条件を満たす農地を出力する、農地管理方法。
【請求項６】
前記農地情報は、
（１）農地の土壌群分類又は土性
（２）農地において栽培されたことのある作物、栽培年及び後作に不適な作物
（３）日間又は月間の日照時間又は日照量
（４）１〜１２月の、少なくとも１月の最低及び／又は最高気温
（５）１〜１２月の、少なくとも１月の最低及び／又は最高地温
（６）１〜１２月の少なくとも１月の、月平均の１日の気温差
（７）１〜１２月の少なくとも１月の月間降水量、又は年間の降水量
（８）栽培に使用する水のｐＨ、化学的酸素要求量、浮遊物質濃度、溶存酸素量、全窒素濃度、電気伝導度、ヒ素濃度、亜鉛濃度、銅濃度から選ばれる少なくとも１つ
（９）土壌ｐＨ
（１０）農地の陽イオン交換量及び／又は塩基飽和度
のうちの少なくとも一つを含む、
請求項５に記載の農地管理方法。
【請求項７】
前記農地情報取得手段は、前記農地情報の１以上を、前記農地管理サーバに通信可能に接続されたデータ端末から一定時間ごとに取得する、請求項５または６に記載の農地管理方法。
【請求項８】
前記点数は、作物の栽培に重要な条件に対し重み付けされて計算される、請求項５〜７のいずれか１項に記載の農地管理方法。
【請求項９】
請求項５〜８のいずれか１項に記載の農地管理方法をコンピュータに実行させるためのプログラム。
【請求項１０】
請求項９に記載のプログラムを格納するコンピュータ可読記憶媒体。
【発明の詳細な説明】
【技術分野】
【０００１】
本発明は、農地管理サーバ、農地管理方法、農地管理プログラム及びコンピュータ可読記憶媒体に関する。
【背景技術】
【０００２】
現在、農業支援システムとして、生産者同士で作物栽培に関する情報を共有するシステムや、気温、地温、湿度等土地に関するデータや圃場写真等を収集し、収集したデータに基づいて生産管理を補助したり、入力した農作業履歴や在庫データに基づいて作業管理や在庫管理を補助したりするシステムの利用が始まっている（例えば、特許文献１、非特許文献１）。
【０００３】
しかし、既存のシステムは、既に栽培している作物の栽培や販売を支援するものであり、ある作物の栽培に適した土地、又はある土地における栽培に適した作物を簡便に予測できるシステムは存在しなかった。
【先行技術文献】
【特許文献】
【０００４】
【特許文献１】特開２０１３−１６５６８７号公報
【非特許文献】
【０００５】
【非特許文献１】食・農クラウドＡｋｉｓａｉ（ウェブページURL:http://jp.fujitsu.com/solutions/cloud/agri/
【発明の概要】
【発明が解決しようとする課題】
【０００６】
本発明は、ある作物の栽培に適した農地、又はある農地における栽培に適した作物を簡便に予測できる、農地管理サーバ、農地管理方法、農地管理プログラム及び当該プログラムを格納したコンピュータ可読記憶媒体を提供することである。
【課題を解決するための手段】
【０００７】
本発明は、上述の課題の少なくとも一部を解決するためになされたものであり、以下の形態として実現することができる。
【０００８】
本発明の一実施形態は、農地における栽培に好適な作物または作物の栽培に好適な農地を出力する農地管理サーバであって、農地管理サーバは、農地の１以上の農地情報を取得する農地情報取得手段と、作物の好適栽培条件を取得する栽培条件取得手段と、農地情報及び作物の好適栽培条件との比較に基づいて、農地と作物を関連づけた点数を算出する算出手段と、目的の農地における栽培に好適な作物または目的の作物の栽培に好適な農地に関する要求を受け付ける要求受付手段と、要求が目的の農地における栽培に好適な作物の要求である場合、目的の農地に対する点数が所定条件を満たす作物を出力し、要求が目的の作物の栽培に好適な農地の要求である場合、目的の作物に対する点数が所定条件を満たす農地を出力する出力手段と、を備える農地管理サーバである。
【０００９】
農地情報は、
（１）農地の土壌群分類又は土性
（２）農地において栽培されたことのある作物、栽培年及び後作に不適な作物
（３）日間又は月間の日照時間又は日射量
（４）１〜１２月の、少なくとも１月の最低及び／又は最高気温
（５）１〜１２月の、少なくとも１月の最低及び／又は最高地温
（６）１〜１２月の少なくとも１月の、月平均の１日の気温差
（７）１〜１２月の少なくとも１月の月間降水量、又は年間の降水量
（８）栽培に使用する水のｐＨ、化学的酸素要求量、浮遊物質濃度、溶存酸素量、全窒素濃度、電気伝導度、ヒ素濃度、亜鉛濃度、銅濃度から選ばれる少なくとも１つ
（９）土壌ｐＨ
（１０）農地の陽イオン交換量及び／又は塩基飽和度
のうちの少なくとも一つを含むものであってよい。
【００１０】
また、農地情報取得手段は、農地情報の１以上を、前記農地管理サーバに通信可能に接続されたデータ端末から一定時間ごとに取得してもよい。
【００１１】
更に、点数は、作物の栽培に重要な条件に対し重み付けされて計算されてもよい。
【００１２】
本発明の他の実施態様は、農地情報取得手段、栽培条件取得手段、算出手段、要求受付手段、及び出力手段を有する農地管理サーバによって、農地における栽培に好適な作物または作物の栽培に好適な農地を予測する農地管理方法であって、農地情報取得手段が農地の１以上の農地情報を取得する工程と、栽培条件取得手段が作物の好適栽培条件を取得する工程と、算出手段が、農地情報及び作物の好適栽培条件との比較に基づいて、農地と作物を関連づけた点数を算出する工程と、要求受付手段が、目的の農地における栽培に好適な作物または目的の作物の栽培に好適な農地に関する要求を受け付ける工程と、出力手段が、要求が目的の農地における栽培に好適な作物の要求である場合、目的の農地に対する点数が所定条件を満たす作物を出力し、要求が目的の作物の栽培に好適な農地の要求である場合、目的の作物に対する点数が所定条件を満たす農地を出力する、農地管理方法である。
【００１３】
農地情報は、
（１）農地の土壌群分類又は土性
（２）農地において栽培されたことのある作物、栽培年及び後作に不適な作物
（３）日間又は月間の日照時間又は日照量
（４）１〜１２月の、少なくとも１月の最低及び／又は最高気温
（５）１〜１２月の、少なくとも１月の最低及び／又は最高地温
（６）１〜１２月の少なくとも１月の、月平均の１日の気温差
（７）１〜１２月の少なくとも１月の月間降水量、又は年間の降水量
（８）栽培に使用する水のｐＨ、化学的酸素要求量、浮遊物質濃度、溶存酸素量、全窒素濃度、電気伝導度、ヒ素濃度、亜鉛濃度、銅濃度から選ばれる少なくとも１つ
（９）土壌ｐＨ
（１０）農地の陽イオン交換量及び／又は塩基飽和度
のうちの少なくとも一つを含むものであってもよい。
【００１４】
また、農地情報取得手段は、農地情報の１以上を、農地管理サーバに通信可能に接続されたデータ端末から一定時間ごとに取得してもよい。
【００１５】
点数は、作物の栽培に重要な条件に対し重み付けされて計算されてもよい。
【００１６】
本発明の更に他の実施態様は、上述のいずれかの農地管理方法をコンピュータに実行させるためのプログラムである。
【００１７】
本発明の更に他の実施態様は、上述のプログラムを格納するコンピュータ可読記憶媒体である。
【発明の効果】
【００１８】
本発明によって、ある作物の栽培に適した農地、又はある農地における栽培に適した作物を簡便に予測できる農地管理サーバ、農地管理方法、農地管理プログラム及び当該プログラムを格納したコンピュータ可読記憶媒体を提供することができるようになった。本発明によって、作物栽培に使用中の農地に限らず、様々な農地、例えば遊休農地、耕作放棄地、初めて作物を栽培する農地等に対しても栽培に適した農産物を予測することが可能になり、農業生産拡大や農地利用促進が可能となる。
【図面の簡単な説明】
【００１９】
【図１】本発明の一実施態様に係る、農地管理サーバの構成図である。
【図２】本発明の一実施形態に係る、土性の区分説明図である。
【図３】本発明の一実施形態に係る、農地管理方法を示すフローチャートである。
【図４】本発明の一実施形態に係る、農地管理方法を示すフローチャートである。
【図５】本発明の一実施形態に係る、連作障害の起こりやすさに対する点数決定方法を示すフローチャートである。
【図６】本発明の一実施形態に係る、連作障害の起こりやすさに対する点数決定方法を示すフローチャートである。
【図７】本発明の一実施形態に係る、連作障害の起こりやすさに対する点数決定方法を示すフローチャートである。
【図８】本発明の一実施形態に係る、連作障害の起こりやすさに対する点数決定方法を示すフローチャートである。
【発明を実施するための形態】
【００２０】
以下、実施例を挙げながら、本発明の実施形態を詳細に述べる。
【００２１】
本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的に実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００２２】
本発明において、「作物」とは、農地を使用して栽培する植物であれば限定されない。例えば品目別に列挙すると、米、麦、いも・雑穀・豆、工芸農作物（さとうきび、茶など）、野菜、果樹、花き、等の各種である。また、本発明の「作物」は、畜産業に関連する植物の各種、例えば牧草や、林業に関連する木本も含むものとする。
【００２３】
本発明において、「農地」とは、都市部、農村部、山間部等において、作物栽培歴の有無に関らず、作物栽培に適した土地をいい、土地とは、一定範囲の地面及びその地上と地下を指す。
【００２４】
「作物栽培に適した土地」とは、作物栽培に使用する水の取水が可能な土地である。農業用水路や水道等、水を供給する設備から、水路、ホース、その他任意の手段を介して、土地にその水を到達させることができればよい。以下、このことを「水アクセス可能」、と称する。
【００２５】
加えて、「作物栽培に適した土地」は、電車、自動車、原動機付自転車、軽車両、農業
機械等に代表される任意の移動手段、及び／又は徒歩等での到達が可能な土地である。以下、このことを「土地アクセス可能」と称する。
【００２６】
つまり、本発明において、「農地」とは、水アクセス可能及び土地アクセス可能な土地である。
【００２７】
＝＝農地管理サーバ＝＝
本発明に係る農地管理サーバの一実施態様を、図１を参照して述べる。
【００２８】
図１に示す本発明に係る農地管理サーバＳ（以下、略してサーバＳとも称す）は、ネットワークＮを介して、少なくとも１つの外部データ端末１０１と少なくとも１つのユーザ端末２０１とに、通信可能に接続され、農地管理システムを形成している。
【００２９】
外部データ端末１０１の例として、公知の気象データベース（気象庁データベース）、水質データベース（国土交通省水文水質データベース等）、地図データベース等を格納した端末が挙げられるが、これらに限定されない。
【００３０】
ユーザ端末２０１は、パーソナルコンピュータ、インターネット対応のゲーム機、携帯電話など、サーバＳと通信可能であれば任意の端末を用いてよい。ユーザ端末２０１は、表示部と、マウス、キーボード、タッチパネル等に例示される入力部を含んでよい。ユーザは、各農地の所有者や管理者、及び各農地の利用者であって、この農地管理システムを利用している者を含む。農地の利用者は、ある農地における栽培に好適な作物や、ある作物の栽培に好適な農地を知るために、ユーザ端末２０１の入力部を用いてユーザ端末に作物や農地を入力したり、農地の所有者や管理者は、後述する農地情報や好適栽培条件を、ユーザ端末２０１の入力部を用いてユーザ端末２０１に入力したりすることができる。ユーザ端末２０１に入力された情報は、ネットワークＮを介してサーバＳに送信される。
【００３１】
サーバＳは、情報取得部１、要求受付部２、記憶部３、算出部４、出力部５を備える。サーバＳの各部は、互いにバスを介して信号を送受信可能なように接続されている。
【００３２】
以下、各要素について説明する。
【００３３】
（１）情報取得部１
情報取得部１は、農地情報取得部１１及び栽培条件取得部１２を有し、それぞれ農地の農地情報及び作物の好適栽培条件を取得する。取得した農地情報及び好適栽培条件は、記憶部３に記憶される。
【００３４】
（１-１）農地情報取得部１１
農地情報取得部１１は農地情報を取得する。
【００３５】
農地情報は、農地を特定する情報（以下、農地特定情報と称する）のほか、農地の性質に関する情報（以下、農地の性質情報と称する）も含む。
【００３６】
農地特定情報は、農地を特定することができる、農地に固有の情報であれば特に制限されないが、緯度経度や住所などの位置情報や、農地の所有者が例として挙げられる。農地特定情報は、農地の所有者や管理者などのユーザがユーザ端末２０１に入力してよく、入力した農地特定情報は、ネットワークＮを介してサーバＳに送信され農地情報取得部１１が取得する。
【００３７】
農地の性質情報とは、作物の栽培条件に関する、農地の物理的及び／又は化学的性質で
あれば限定されない。更に、農地において栽培されたことのある作物、その栽培された年、栽培されたことのある作物の後作に不適な作物、という情報に例示される、栽培履歴情報も含まれる。農地の性質情報は、農地情報取得部１１が各情報を公開するデータベースから定期的に取得してもよいし、その農地の利用者や過去の利用者などのユーザが、ユーザ端末２０１に情報を入力し、ネットワークＮを介してサーバＳに送信し、農地情報取得部１１が取得してもよい。農地の性質情報が知られていない場合、農地の所有者や管理者などのユーザが、公知の任意の方法で調査又は測定し、得られた情報をユーザ端末２０１に入力し、ネットワークＮを介して農地情報取得部１１が取得してもよい。
【００３８】
農地情報取得部１１は、農地の性質情報を農地ごとに記憶部３に記憶させてもよい。農地特定情報によって特定される農地それぞれについて、その農地の性質情報を記憶させることによって、農地特定情報を指定すれば、その農地の性質情報を読み出すことができるようになる。
【００３９】
また、記憶させた農地情報は、適宜更新されてもよい。例えば、新しい情報は、ユーザがユーザ端末２０１に入力したものを、ネットワークＮを介して情報取得部１が取得し、記憶部３に記憶させてもよい。または、農地の性質情報の更新は、外部データ端末１０１から、定期的に情報取得部１が取得することで行ってもよい。外部データ端末１０１からの情報取得は、手動で行ってもよいし、任意に設定した間隔で自動的に行ってもよい。データ端末１０１から取得する情報の更新頻度は、どのような情報かに応じて任意に設定できる。例えば、水質など頻繁に更新されると考えられるものと、月平均気温など頻繁には更新されないと考えられるものとでは、異なる頻度で情報を更新してもよい。
【００４０】
農地の性質情報の例として、下記の情報が挙げられる。
【００４１】
（i）土壌に関する情報
作物は、土壌の性質によって、その成育速度や収穫量などが大きく影響されるため、農地の性質情報に土壌に関する情報が含まれていることが好ましい。
【００４２】
土壌に関する情報とは、農地の土壌の物理的及び／又は化学的性質に関する値又は値域のことである。具体例として、土性、土壌群分類、ｐＨ、陽イオン交換量（ＣＥＣ）、塩基飽和度、電気伝導度（ＥＣ）などが挙げられるが、これらに限定されない。
【００４３】
土性とは、粒径組成に基づく土壌の分類であり、作物によって栽培に好適な土性は異なる。細砂、粗砂、シルト、粘土の４成分の百分率を定量し、砂を粗砂と細砂との合計として、粒径区分に基づいた土壌三角図表に当てはめて分類する。現在、国際法、農学会法、ＵＳＤＡ法等の分類法が知られている。また、簡便な方法として、採取した土の塊に少量の水を加え親指と人差し指の間でこねて、感触の程度や粘り具合などに基づいて、砂土、砂壌土、壌土、埴壌土、埴土の５つの土性に区分することができる（図２参照、前田ら、１９８０「図解土壌の基礎知識」より抜出）。その他の土性の判定方法や分類などについては、日本土壌肥料学会の資料（http://www.agri.hro.or.jp/center/bunseki2012/3.pdf）に詳細に記載されている。一般的に、粘土の割合が大きい方が、保肥力、保水力及び養分含量が高く、透水性が低いとされている。
【００４４】
土壌群分類は、土壌断面、ｐＨ、母材、堆積様式、腐植層序、土色や各土層の特徴の共通性に基づく分類であり、作物によって栽培に好適な土壌群は異なる。既存の任意の分類を採用してよいが、好ましい分類法として、独立行政法人農業環境技術研究所の「農耕地土壌分類第３次改訂版」や、地方独立行政法人北海道立総合研究機構農業研究本部中央農業試験場の「土壌調査・分類法および土壌試料の採取・調製法」（２０１２年）に記載の土壌群分類が挙げられる。これらの分類において、土壌は、土壌群、土壌統群、土壌統の
順に細分される。土壌群、土壌統群及び土壌統のうち、土壌統群は、農林水産省生産局の土壌保全調査事業成績書にそのｐＨ、陽イオン交換量、塩基飽和度などが公開されている。
【００４５】
土壌に関する情報の情報源の例として、独立行政法人農業環境技術研究所の「土壌情報閲覧システム」（http://agrimesh.dc.affrc.go.jp/soil_db/）が挙げられる。このシス
テムは、土地を検索すると、その土地の土壌統群及びそのｐＨ、陽イオン交換量、塩基飽和度等を簡便に確認することができる。
【００４６】
土壌のｐＨは、土壌の酸度の指標である。蒸留水を使用して測定したｐＨと、塩化カリウム液を使用して測定したｐＨとがあるが、測定時点の土壌ｐＨを測定するには、通常、土壌の遊離水素イオン濃度を表す前者を用い、ｐＨ（Ｈ２Ｏ）と記載する。農地の土壌ｐＨが知られていない場合、市販のｐＨ計を用いて測定してよい。または、農林水産省都道府県別施肥基準等（http://www.maff.go.jp/j/seisan/kankyo/hozen_type/h_sehi_kizyun/index.html）に公開されているｐＨ測定方法を用いてもよい。一般的に、土壌ｐＨ５．
５〜６．５であればほとんどの作物は栽培可能とされている。
【００４７】
陽イオン交換量とは、一定量の土壌が保持可能な陽イオン量であり、meq/100g（ミリグラム当量・ミリエクイバレント）で表される。農地の陽イオン交換量が知られていない場合、公知の任意の方法で測定してよいが、土壌・作物体分析機器開発事業（Soil & Plant
Analyzer Development、ＳＰＡＤ）による簡易測定方法を用いるのが簡便である。この
容量が大きいほど、養分の保持力が高く、従って肥沃度の高い土壌であると考えられる。
【００４８】
塩基飽和度（％）は、土壌が保持する塩基、つまり陽イオンの量の指標であり、一般的には、カリウム、マグネシウム及びカルシウムの百分率の和である。農地の塩基飽和度が知られていない場合は、公知の方法で測定してもよい。塩基飽和度は、一般的には６０〜９０％が適正範囲とされている。
【００４９】
電気伝導度(mS/cm)は、土壌が保持する塩類の濃度の指標である。電気伝導度の値が高
いほど土壌の保持する塩が多いので、耐塩性の低い作物には不適である。農地の電気伝導度が知られていない場合、公知の任意の方法で測定してもよい。
【００５０】
（ii）栽培に使用する水に関する情報
作物によって好適な降水量は異なり、乾燥に強い作物と、乾燥に弱い作物とが知られている。また、水質については、農業用水質基準等の基準を満たす必要がある。従って、農地の性質情報に、栽培に使用する水に関する情報が含まれていることが好ましい。
【００５１】
栽培に使用する水に関する情報とは、農地において栽培に使用する水、つまり水道又は水路等から得られる農業用水の物理的及び／又は化学的性質に関する好適値又は値域であって、具体例として、月間又は年間降水量、ｐＨ、水質（化学的酸素要求量、浮遊物質濃度、溶存酸素量、全窒素濃度、電気伝導度、ヒ素濃度、亜鉛濃度、銅濃度）、などが挙げられるが、これらに限定されない。
【００５２】
栽培に使用する水に関する情報の情報源の例として、月間又は年間降水量については気象庁の数値データページリンク集（http://www.jma.go.jp/jma/menu/arcdata.html）、水質については、各都道府県又は市や区などの水道局の水質検査結果や、国土交通省の水文水質データベース（http://www1.river.go.jp/）が挙げられるが、これらに限定されない。農地の水質が知られていない場合、厚生労働省、国土交通省、各都道府県又は市や区が公開する任意の水質検査方法、又は市販の水質検査具やキットを使用して測定してもよい。
【００５３】
（iii）光に関する情報
作物には弱い日射を好む作物と、強い日射を好む作物があることや、特定の月、例えば結実期に該当する月の日射量又は日照時間が生育に影響を及ぼすことが知られているので、農地の性質情報に、光に関する情報が含まれていることが好ましい。
【００５４】
具体例として、日間又は１〜１２月の少なくとも１月の月間の日射量又は日照時間、などが挙げられるが、これらに限定されない。
【００５５】
光に関する情報の情報源の例として、独立行政法人新エネルギー・産業技術総合開発機構（ＮＥＤＯ）の日射量データベース閲覧システム（http://app7.infoc.nedo.go.jp/metpv/metpv.html）や、気象庁の日照時間一覧表（http://www.data.jma.go.jp/obd/stats/data/mdrr/tenkou/alltable/sun00.html）等が挙げられるが、これらに限定されない。農
地の日射量や日照時間が知られていない場合、市販の日射計や日照計を用いて測定してもよい。月間の日射量又は日照時間は、できるだけ多くの月について記憶しておくのが好ましい。
【００５６】
（iv）温度に関する情報
好適な温度は作物によって異なる。また、特定の月、例えば結実期に該当する月の温度が生育に重要な作物が知られている。従って、農地の性質情報に、温度に関する情報が含まれていることが好ましい。
【００５７】
具体例として、１〜１２月の少なくとも１月の最低及び最高気温、１〜１２月の少なくとも１月の最低及び最高地温、又は少なくとも１月の月平均の最低及び最高地温、などが挙げられるが、これらに限定されない。「１月の最低及び最高」とは、通常月平均の最低及び最高温度であるが、ある月において一番低かった温度と、一番高かった温度としてもよい。
【００５８】
温度に関する情報の情報源の例として、気温については気象庁の数値データページリンク集（http://www.jma.go.jp/jma/menu/arcdata.html）、地温については農業環境技術研究所の「土壌情報閲覧システム」（http://agrimesh.dc.affrc.go.jp/soil_db/）が挙げ
られるが、これらに限定されない。公開された情報がない場合、市販の温度計や地温計を用いて測定した数値を情報としてもよい。月間の平均温度は、できるだけ多くの月について記憶しておくのが好ましい。
【００５９】
（v）風に関する情報
長稈の稲のように、作物によっては強い風によって倒れやすく、風力は作物の生育に大きく影響するので、農地の性質情報に、風に関する情報が含まれていることが好ましい。
【００６０】
具体例として、月平均風量、風圧又は風速、台風時平均最大風速、などが挙げられるが、これらに限定されない。
【００６１】
風に関する情報の情報源の例として、気象庁の数値データページリンク集（http://www.jma.go.jp/jma/menu/arcdata.html）が挙げられるが、これに限定されない。公開された情報がない場合、市販の風速計や風量計を用いて測定した数値を情報としてもよい。
【００６２】
（vi）農地の栽培履歴に関する情報
作物の収穫量などは、前年度の作物の栽培によって大きな影響を受けることがある。
【００６３】
農地の栽培履歴とは、例えば、その農地において栽培されたことのある作物及び栽培年
に関する情報である。より具体的には、その農地においてジャガイモを２０１１年、２０１２年及び２０１３年に栽培していた場合、農地の栽培履歴に関する情報は、作物が「ジャガイモ」であり、栽培年が「２０１１〜２０１３年」である。更栽培されたことのある作物及び栽培年に、加えて、農地の栽培履歴にある作物の後作に不適な作物も、栽培履歴に関する情報とすることが好ましい。
【００６４】
この情報は、その農地の利用者などのユーザが、ユーザ端末から手動で入力することができる。
【００６５】
（i）〜（vi）に例示した農地の性質情報について、より具体的な例として、下記の項
目が特に好ましい。
【００６６】
（１）農地の土壌群分類又は土性
（２）農地の栽培履歴（農地において栽培されたことのある作物、栽培年及び後作に不適な作物）
（３）日間又は月間の日照時間又は日照量
（４）１〜１２月の、少なくとも１月の最低及び／又は最高気温
（５）１〜１２月の、少なくとも１月の最低及び／又は最高地温
（６）１〜１２月の少なくとも１月の、月平均の１日の気温差
（７）１〜１２月の少なくとも１月の月間降水量、又は年間の降水量
（８）栽培に使用する水のｐＨ、化学的酸素要求量、浮遊物質濃度、溶存酸素量、全窒素濃度、電気伝導度、ヒ素濃度、亜鉛濃度、銅濃度から選ばれる少なくとも１つ
（９）土壌ｐＨ
（１０）農地の陽イオン交換量及び／又は塩基飽和度
【００６７】
（１-２）栽培条件取得部１２
栽培条件取得部１２は、各作物の栽培に好適な条件（以下、好適栽培条件と称する）を取得する。作物の好適栽培条件は、栽培条件取得部１２が、各情報を公開するデータベースから取得してもよいし、ユーザが、データベースや統計書等に記載の情報を、ユーザ端末２０１からネットワークＮを介してサーバＳに送信し、それを栽培条件取得部１２が取得してもよい。
【００６８】
栽培条件取得部１２は、作物の好適栽培条件を作物ごとに記憶部３に記憶させてもよい。作物名によって特定される作物それぞれについて、その作物の好適栽培条件を記憶させることによって、作物を指定すれば、その作物の好適栽培条件を読み出すことができる。
【００６９】
また、記憶された好適栽培条件は、更新されてもよい。例えば、新しい情報は、情報取得部１が外部データ端末１０１からネットワークＮを介して定期的に取得してもよいし、ユーザがユーザ端末２０１からネットワークＮを介して送信した情報を、情報取得部１が取得し、記憶部３に記憶させてもよい。
【００７０】
作物の好適栽培条件について、下記が例として挙げられる。作物の好適栽培条件は、農地の性質情報に対応した情報であることが好ましく、各条件の詳細は、（１-１）の記載
も参照できる。
【００７１】
（i）土壌に関する情報
各作物の栽培に好適な土の物理的及び／又は化学的性質に関する好適値又は値域である。具体例として、土性及び／又は土壌群分類の点数、ｐＨ、陽イオン交換量、塩基飽和度、電気伝導度（ＥＣ）などが挙げられるが、これらに限定されない。
【００７２】
各作物の栽培に好適な土壌に関する情報は、例えば、栽培実績のあるほかの農地の土壌に関する情報や高い収量の得られることが知られているほかの農地と同じでもよいが、下記に挙げる情報でもよい。
【００７３】
作物の栽培に好適な土性及び土壌群は、作物によって異なる。土性の分類は、例えば、壌土、砂土、砂壌土、粘質壌土、火山灰土が挙げられる。表１に野菜類の栽培に適した土性を纏めた（丸印は好適土性を示す）（http://www.maff.go.jp/j/seisan/kankyo/hozen_type/h_sehi_kizyun/pdf/ntuti9.pdf参照）。
【００７４】
【表１】
2017072900.tif 000003
土壌の分類は、例えば、岩屑土、砂丘未熟土、黒ボク土、多湿黒ボク土、黒ボクグライ土、褐色森林土、灰色台地土、グライ台地土、赤色土、黄色土、暗赤色土、褐色低地土、灰色低地土、グライ土、黒泥土、泥炭土等が挙げられる。表２に各土壌の利用状況及び適した作物を纏めた。
【００７５】
【表２】
2017072900.tif 000004
【００７６】
一般的に、土壌ｐＨが５．５〜６．５であれば、ほとんどの作物は栽培可能とされているが、作物によって栽培に好適なｐＨは異なる。作物ごとの好適な土壌ｐＨは、例えば『土壌学概論』（後藤逸男、朝倉書店、２００１）記載されている値（表３）を、好適ｐＨとしてよい。
【００７７】
【表３】
2017072900.tif 000005
【００７８】
他にも、岐阜県主要園芸作物標準技術体系（資料編）「３  土壌のｐＨと作物の生育」（http://www.maff.go.jp/j/seisan/kankyo/hozen_type/h_sehi_kizyun/gif04.html）や
、「土壌診断によるバランスのとれた土づくり  Ｖｏｌ．３−土壌診断に基づく改善対策−」（財団法人日本土壌協会、平成２２年、http://www.japan-soil.net/BOOKLET/H22_DS/A4/A4_web.pdf）に記載の値を、好適ｐＨとしてもよい。
【００７９】
陽イオン交換量（ｃｍｏｌ（＋）・ｋｇ-１）は、大きいほど、養分の保持力が高く、
作物の栽培に適しているが、ほとんど全ての作物において、１０〜２０ｃｍｏｌ（＋）・
ｋｇ-１が好ましい。
【００８０】
塩基飽和度（％）は、６０〜９０％が作物栽培に好適な範囲とされているが、具体的には、表４に記載した通りである（http://www.maff.go.jp/j/seisan/kankyo/hozen_type/h_sehi_kizyun/pdf/03090106chap04.pdf参照）。なお、上記土壌の種類によって、好まし
い塩基飽和度の異なる場合もある。
【００８１】
【表４】
2017072900.tif 000006
【００８２】
電気伝導度は、通常、野菜では０．１〜０．３ｍＳ／ｃｍ、牧草地では０．１ｍＳ／ｃｍ以下であることが好ましい。一般的には、０．２〜０．４ｍＳ／ｃｍなら栽培可能とされ、０．８ｍＳ／ｃｍだと濃度障害が起きるとされている。耐塩性の高い作物と低い作物とで、好適な電気伝導度が異なり、例えば、下記の表５のようになる（「土壌診断によるバランスのとれた土づくり  Ｖｏｌ．３−土壌診断に基づく改善対策−」財団法人日本土壌協会、平成２２年（http://www.japan-soil.net/BOOKLET/H22_DS/A4/A4_web.pdf）より抜出）。
【００８３】
【表５】
2017072900.tif 000007
【００８４】
（ii）栽培に使用する水に関する情報
各作物の栽培に使用する水、つまり水道又は水路等から得られる農業用水の好適な物理的及び／又は化学的性質に関する好適値又は値域である。具体例として、月間又は年間降水量、ｐＨ、水質（化学的酸素要求量、浮遊物質濃度、溶存酸素量、全窒素濃度、電気伝導度、ヒ素濃度、亜鉛濃度、銅濃度）、などが挙げられるが、これらに限定されない。
【００８５】
各作物の栽培に好適な水に関する情報は、例えば、栽培実績のあるほかの農地や高い収量の得られることが知られているほかの農地の月間又は年間降水量及び水質としてもよいし、水質については、農林水産省による「水質・土壌等に係る基準」（http://www.maff.go.jp/j/seisan/kankyo/hozen_type/h_sehi_kizyun/pdf/05230112suisitu-dojou.pdfに記載の農業用水質基準範囲内を、全作物の好適水質としてもよい。作物ごとに、適切な水分量は決まっており、耐湿性の強いものから弱いものまで様々であり、野菜についての例を表６に示す（https://www.pref.kagoshima.jp/ap11/chiiki/kumage/sangyo/nougyou/gijutsu/documents/02yasaidukurigaiyou.pdf参照）。
【００８６】
【表６】
2017072900.tif 000008
【００８７】
（iii）光に関する情報
各作物の栽培に好適な光条件である。具体例として、日間又は１〜１２月の少なくとも１月の月間の日射量又は日照時間、などが挙げられるが、これらに限定されない。好ましくは、生育や結実に影響を与える月の日射量又は日照時間を含む。
【００８８】
各作物の栽培に好適な光に関する情報は、栽培実績のあるほかの農地や高い収量の得られることが知られているほかの農地の光に関する情報と同じでもよい。表７に、野菜の光適応性について、例を示す（https://www.pref.kagoshima.jp/ap11/chiiki/kumage/sangyo/nougyou/gijutsu/documents/02yasaidukurigaiyou.pdf参照）。
【００８９】
【表７】
2017072900.tif 000009
【００９０】
（iv）温度に関する情報
各作物の栽培に好適な温度条件である。具体例として、１〜１２月の少なくとも１月の最低及び最高気温、１〜１２月の少なくとも１月の最低及び最高地温、又は少なくとも１月の月平均の最低及び最高地温、などが挙げられるが、これらに限定されない。「１月の最低及び最高」とは、通常月平均の最低及び最高温度であるが、ある月において一番低かった温度と、一番高かった温度としてもよい。好ましくは、生育や結実に影響を与える月の温度を含む。
【００９１】
各作物の栽培に好適な温度に関する情報は、栽培実績のあるほかの農地や高い収量の得られることが知られているほかの農地の温度に関する情報と同じでもよい。例えば、「熊本県地産地消サイト  野菜作りの基礎知識」に記載の温度でよい（表８）。
【００９２】
【表８】
2017072900.tif 000010
【００９３】
（v）風に関する情報
各作物の栽培に適した風条件である。具体例として、月平均風量、風圧又は風速、台風時平均最大風速、などが挙げられるが、これらに限定されない。
【００９４】
各作物の栽培に好適な風に関する情報は、栽培実績のあるほかの農地や高い収量の得られることが知られているほかの農地の風に関する情報と同じでもよい。例えば、稲の場合など、短棹であれば風に耐性があり、長棹であれば風に耐性がない、などから、風に対する耐性の代わりに高さや茎の太さで代用してもよい。
【００９５】
(vi)連作障害に関する情報  
連作障害は、同じ作物又は同じ科や種の作物を２年以上連続して栽培した場合、収量等の低下がみられる現象であり、畑作において発生し、起こりやすい作物と起こりにくい作
物があると考えられている。
【００９６】
連作障害が起こりやすい作物として、ナス科、ウリ科、マメ科、アブラナ科の多くの作物が挙げられるが、作物によって、好ましい休栽期間（休栽年限、連作年限ともいうが、本発明においては、以下、好適休栽年数と称する）は異なる。また、連作障害を防ぐ等の目的で輪作を行う場合もあるが、後作に適した作物と適していない作物がある。
【００９７】
連作障害が起こりにくい作物として、シュンギク、ツルムラサキ、スイートコーン、カボチャ、オクラ、タマネギ、ニンニク、フキ、サツマイモ、ミョウガ、アスパラ、パセリ、などが知られている。しかし、連作障害が起きにくいと考えられている作物でも、連作の年数に上限（以下、連作限年数と称する）があり、ある年数以上連続して栽培すると収量が低下するとものもある。
【００９８】
こうした条件を鑑み、連作障害が起こりやすい作物に対し、好適休栽年数を決定しておくのが好ましく、連作障害が起こりにくい作物に対し、連作上限年数を決定しておくのが好ましい。
【００９９】
以上のように（i）〜（vi）に挙げた条件について、より具体的な例として、下記の項
目が好ましい。
【０１００】
（１）栽培に好適な農地の土壌群分類又は土性
（２）栽培に好適な休栽期間、又は好適な連作上限年数
（３）栽培に好適な日間又は月間の日照時間又は日照量
（４）栽培に好適な１〜１２月の、少なくとも１月の最低及び／又は最高気温
（５）栽培に好適な１〜１２月の、少なくとも１月の最低及び／又は最高地温
（６）栽培に好適な１〜１２月の少なくとも１月の、月平均の１日の気温差
（７）栽培に好適な１〜１２月の少なくとも１月の月間降水量、又は年間の降水量
（８）栽培に使用する水の、栽培に好適なｐＨ、化学的酸素要求量、浮遊物質濃度、溶存酸素量、全窒素濃度、電気伝導度、ヒ素濃度、亜鉛濃度、銅濃度から選ばれる少なくとも１つ
（９）栽培に好適な土壌ｐＨ
（１０）栽培に好適な農地の陽イオン交換量及び／又は塩基飽和度
【０１０１】
（２）算出部４
算出部４は、作物の好適栽培条件と、農地の性質情報とを比較し、農地と作物を関連づけた点数を算出する。ここでは、上記（１）〜（１０）の項目を比較する態様を例として説明する。
【０１０２】
本例では、算出部４は、農地の性質情報の項目（１）〜（１０）と、作物の好適栽培条件の項目（１）〜（１０）について、項目ごとにそれらの値を比較し、その比較結果に基づいて、農地の各性質情報の値に割り当てられた点数を特定し、その和を算出する。
【０１０３】
まず、作物の好適栽培条件の項目（１）について、算出部４は、予め、土性又は土壌群分類に対して、値を割り当てておく（以下、土性値、土壌群値と称し、総じて土壌値と称する）。表９に、地方独立行政法人北海道立総合研究機構農業研究本部中央農業試験場の「土壌調査・分類法および土壌試料の採取・調製法」に記載の土壌群分類に基づいて作成した土壌群分類と、土壌群値の例を記載する。
【０１０４】
【表９】
2017072900.tif 000011
2017072900.tif 000012
【０１０５】
表９に例示するように、土壌群値は、近い性質の土壌群分類には同じ又は近い値を割り当て、性質が遠くなるほど遠い値を割り当てるようにしてもよい。ここで、水田用途と畑用途では、適した土壌が異なるため、水田用途と畑用途とでは、異なる値を割り当てることが好ましい。予め、作物の好適栽培条件の土壌値と、農地の性質情報の土壌値との差に従って、点数を割り当てておく。そして、作物の好適栽培条件と農地の性質情報を比較し、予め割り当てた点数を決定する。
【０１０６】
作物の好適栽培条件の項目（３）〜（１０）は、数値で表示されるが、予め、農地の性質情報を好適栽培条件に比較し、その農地情報に割り当てる点数を特定する。予め、作物の栽培条件に対して、点数を割り当てておいてもよい。割り当てる方法は特に限定されないが、例えば各項目について最適条件との引き算を行い、項目ごとに、算出された差分の大きさに比例して、点数を割り当ててもよい。そして、農地の性質情報を、好適栽培条件に比較し、予め割り当てた点数を特定する。あるいは、農地の性質情報を元にして、割り当てる点数を計算する計算式を設け、記憶部３に記憶させておいてもよい。
【０１０７】
作物の好適栽培条件の項目（２）は、連作障害の起こりやすさに関する項目である。算出部４は、農地の連作障害の起こりやすさに従って、点数を割り当てておく。以下、作物の項目（２）の情報と農地の項目（２）との関係によって、「連作障害が起こりやすい」又は「連作障害が起こりにくい」と判定し、それぞれの判定に所定の点数を割り当てる例を記載する。
【０１０８】
例えば、「連作障害が起こりやすい」と判定される場合は、下記のような場合である
（a）作物が、連作障害が起こりやすい作物であり、農地において、同じ作物の休栽年
数が好適休栽年数より短い場合
（b）作物が、連作障害が起こりやすい作物であり、且つ、農地において昨年まで栽培
されていた作物の後作に不適な作物である場合
（c）作物が、連作障害が起こりにくい作物であり、農地において昨年まで同じ作物が
連作上限年数以上の年数栽培されていた場合
【０１０９】
また、「連作障害が起こりにくい」と判定される場合は、例えば下記のような場合である。
（d）作物が、連作障害が起こりやすい作物であるが、農地において、同じ作物の栽培
履歴がない場合
（e）作物が、連作障害が起こりやすい作物であるが、農地において、同じ作物の休栽
年数が好適休栽年数より長い場合
（f）作物が、連作障害が起こりやすい作物であり、且つ、農地において昨年まで栽培
されていた作物の後作に不適な作物でない場合
（g）作物が、連作障害が起こりにくい作物であり、農地において昨年まで同じ作物が
栽培されており、その栽培年数が連作上限年数以上である場合
（h）作物が、連作障害が起こりにくい作物であり、農地において同じ作物が栽培され
ていない場合
【０１１０】
そして、例えば、「連作障害が起こりにくい」なる判定の場合は、高い点数を割り当て、「連作障害が起こりやすい」なる判定の場合は、低い点数を割り当てておく。そして、農地の項目（２）と作物の項目（２）とを比較し、判定に従って、予め割り当てた数値を特定する。
【０１１１】
最後に、算出部４は、各項目について特定された点数の合計を算出し、作物と農地とを関連付けた点数とする。農地の性質情報及び好適栽培条件が近いほど各項目の点数を高くする場合、作物と農地とを関連付けた点数が大きいほど、目的の作物に好適な農地、又は目的の農地に好適な作物であるということになる。
【０１１２】
なお、作物の好適栽培条件の項目に点数を割り当てる際、各項目の点数は、作物ごとに、作物の栽培に重要とされている項目に対して重み付けを行ってもよい（例えば、重みを付けるものについては、特定された点数を２倍して、最後の合計を算出するなど）。例えば、作物によって、ある土壌群でしか生育しない作物については土壌群点数に重みを付けて、気温差がある値以上でないと生育が芳しくない作物は気温差に重みを付けてもよい。
【０１１３】
（３）要求受付部２
要求受付部２は、ネットワークＮを介して接続されたユーザ端末２０１から送信された、栽培したい作物（以下、目的の作物と称する）に好適な農地を出力する要求、又は栽培を行いたい農地（以下、目的の農地と称する）に好適な作物を出力する要求を受け付ける。より具体的には、目的の作物名の入力、又は目的の農地の特定情報の入力を受け付ける。受け付けた要求は、記憶部３に記憶させてもよい。
【０１１４】
（４）出力部５
出力部５は、要求受付部２が受け付けた要求が、目的の農地における栽培に好適な作物の要求である場合、算出部４で算出された農地と作物を関連づけた点数から、目的の農地に対して作物ごとに点数を調べ、目的の農地に対する点数が所定条件を満たす作物を出力する。また、要求が、目的の作物の栽培に好適な農地の要求である場合、同様に算出部４で算出された農地と作物を関連づけた点数から、目的の作物に対し農地ごとに点数を調べ、目的の作物に対する点数が所定条件を満たす農地を出力する。
【０１１５】
例えば、好適栽培条件において、最適栽培条件に近いほど、割り当てる各項目の点数を高くする場合、目的の農地に適した作物又は目的の作物に適した農地を出力するためには、農地と作物を関連づけた点数が所定の点数以上となる作物名又は農地を出力すればよい。
【０１１６】
出力方法は特に限定されず、目的の作物に適した農地が要求された場合は最高の点数の農地特定情報を、目的の農地に適した作物が要求された場合は最高の点数の作物名を、出力してもよい。あるいは、農地と作物を関連づけた点数の大きさに応じて好適度合をランク付けしてもよく、例えば、点数の大きい順から、「最適」、「適」、「やや適」、「不適」などとランク付けしてもよい。
【０１１７】
出力部５によって出力された作物名又は農地は、ネットワークＮを介して接続されたユーザ端末２０１から確認することができる。例えば、出力された作物名は、ユーザ端末２０１の表示部の表示画面に表示される。
【０１１８】
（５）記憶部３
記憶部３は、ハードディスクやフラッシュメモリなど公知の記憶装置によって構成される。また、記憶部３は、ＵＳＢメモリに例示される着脱や持運び可能な記憶媒体であってもよい。
【０１１９】
記憶部３は、農地情報、好適栽培条件、農地と作物を関連づけた点数を記憶してもよい。記憶部３は、更に、好適な作物又は好適な農地であると判断できる条件を記憶してもよい。例えば、好適な作物または農地とは、農地と作物を関連づけた点数が所定の点数以上であるものとした場合、その所定の点数を記憶する。
【０１２０】
更に、要求に対する回答に必要な情報以外に、農地に関して、面積、形状、勾配、公道から農地までの距離や道路設備の有無、農地への交通手段や所要時間等のアクセス方法、水アクセス、及び／又は気象庁、国土交通省等の公知の情報源に基づく台風頻度、地震頻度、津波リスク等の災害リスク情報、等を、記憶部３に記憶してもよい。これらは、出力部５によって、農地特定情報とともに出力されてもよい。
【０１２１】
記憶部３は、（１）情報取得部１で説明したとおり、記憶した農地特定情報、農地の性質情報、作物の好適栽培条件を更新することもできる。
【０１２２】
＝＝農地管理方法＝＝
上述した農地管理サーバＳを用い、本発明に係る農地管理方法を実施する一実施態様について説明する。
【０１２３】
図３は、ある目的の作物の栽培に好適な農地を予測する基本的な方法を説明する、フローチャートである。
【０１２４】
ユーザ端末から送信された目的の作物を要求受付部が受け付けると、算出部が、記憶部に記憶されている目的の作物の好適栽培条件と、記憶されている農地の農地情報とを、各項目、例えば上述の項目（１）〜（１０）のそれぞれについて比較し（ステップＳ１）、比較結果に応じて予め割り当てられた各項目の点数を特定し（ステップＳ２）、特定した各項目の点数の合計を算出して、その作物と各農地とを関連付けた点数として得る（ステップＳ３）。出力部は、各農地の点数が所定の点数以上がどうかを判定し（ステップＳ４）、所定の点数以上であれば（ステップＳ４  ＹＥＳ）、目的の作物の栽培に好適な農地として、その農地の特定情報を出力し、所定の点数未満であれば（ステップＳ４  ＮＯ）、その農地の特定情報は出力しない。
【０１２５】
あるいは、上述したように、予め算出部が、作物の栽培条件に対し、その作物と各栽培条件とを関連づけた点数を算出し、記憶部に記憶させておいてもよい。その場合、要求受付部が目的の作物を受け付けると、出力部は、直ちに、各農地の点数が所定の点数以上であれば、その農地の特定情報を出力し、所定の点数未満であればその農地の特定情報は出力しないようにすることが可能になる。
【０１２６】
図４は、ある目的の農地において好適に栽培できる作物を予測する基本的な方法を説明する、フローチャートである。
【０１２７】
ユーザ端末から送信された目的の農地の農地特定情報を要求受付部が受け付けると、算出部が、記憶部に記憶されている目的の農地の性質情報と、記憶されている作物の好適栽培条件とを、各項目、例えば上述の項目（１）〜（１０）のそれぞれについて比較し（ステップＳ１１）、比較結果に応じて予め割り当てられた各項目の点数を特定し（ステップＳ１２）、特定した各項目の点数の合計を算出して、その農地と各作物とを関連付けた点数として得る（ステップＳ１３）。出力部は、各作物の点数が、所定の点数以上であるかを判定し（ステップＳ１４）、所定の点数以上あれば（ステップＳ１３  ＹＥＳ）、その作物の名称を出力し、所定の点数未満であれば（ステップＳ１３  ＮＯ）、その作物の名称を出力しない。
【０１２８】
あるいは、上述したように、予め算出部が、作物の栽培条件に対し、その作物と各栽培条件とを関連づけた点数を算出し、記憶部に記憶させておいてもよい。その場合、要求受付部が目的の農地の特定情報を受け付けると、出力部は、直ちに、各作物の合計点数が所定の点数以上であれば、その作物の名称を出力し、所定の点数未満であればその作物の名称は出力しないようにすることが可能になる。
【０１２９】
＜連作障害に関する点数の決定方法＞
図５は、目的の作物の栽培に好適な農地を予測する方法のステップＳ１において、連作障害に関する、上述の項目（２）を比較し点数を決定する方法の一例を説明するフローチャートである。
【０１３０】
上述の通り、作物が、連作障害が起こりやすい作物の場合、項目（２）はその作物の好適休栽年数とし、連作障害が起こりにくい作物の場合、項目（２）はその作物の連作上限年数とする。そこで算出部は、目的の作物の好適栽培条件の項目（２）が好適休栽年数を含むかを判定し（ステップＳ１０１）、好適休栽年数を含む場合、連作障害が起こりやすい作物であると判定し（ステップＳ１０１  ＹＥＳ）、好適休栽年数を含まない場合、連作障害が起こりにくい作物であると判定する（ステップＳ１０１  ＮＯ）。連作障害が起こりにくい作物であると判定された場合については、図６を参照して後述する。
【０１３１】
好適休栽年数を含む、即ち連作障害が起こりやすい作物であると判定された場合（ステップＳ１０１  ＹＥＳ）、農地の栽培履歴に目的の作物と同じ科の作物があるかどうかを判定する（ステップＳ１０２）。同じ科の作物がないと判定された場合、連作障害が起こりにくいという判定に割り当てられた点数を特定する（ステップＳ２）。同じ科の作物があると判定された場合（ステップＳ１０２  ＹＥＳ）、農地の栽培履歴の栽培年の最終年から現在の年までの年数（以下、経過年数と称する）を算出し（ステップＳ１０３）、経過年数から好適休栽年数を引き算する（ステップＳ１０４）次いで、差分が０以下であるかを判定する（ステップＳ１０５）。０以下でなければ、好適休栽年数かそれ以上、農地において休栽されていたことを意味する。０以下でない場合（ステップＳ１０５  ＹＥＳ）、連作障害は起こりにくいと判定し、連作障害が起こりにくい判定に対し予め割り当てられた点数を特定し（ステップＳ２）、０以下であった場合（ステップＳ１０５  ＮＯ）、連作障害が起こりやすいと判定し、連作障害が起こりやすい場合に対し予め割り当てられた点数を特定する（ステップＳ２）。また、引き算で負の値になった場合、負の値の絶対値が大きいほど、予め割り当てた点数が低くてもよい。
【０１３２】
次に、図６を参照して、ステップＳ１０１において、作物が連作障害が起こりにくい作物であると判定された場合について説明する。
【０１３３】
連作障害が起こりにくい作物であると判定された場合（ステップＳ１０１  ＮＯ）、農地の栽培履歴に目的の作物と同じ作物があるかどうかを判定する（ステップＳ１０１１）。同じ作物がないと判定された場合（ステップＳ１０１１  ＮＯ）、連作障害が起こりに
くい判定に対し予め割り当てられた点数を特定する（ステップＳ２）。一方で、同じ作物であると判定された場合（ステップＳ１０１１  ＹＥＳ）、経過年数を算出する（ステップＳ１０１２）。次いで、経過年数が１であるかを判定する（ステップＳ１０１３）。経過年数が１の場合は、少なくとも２年連続して農地で同じ作物を栽培することを意味する。経過年数が１でない場合（ステップＳ１０１３  ＮＯ）、連作障害が起こりにくいと判定され、連作障害が起こりにくい判定に対し予め割り当てられた点数を特定する（ステップＳ２）。経過年数が１である場合（ステップＳ１０１３  ＹＥＳ）、農地の栽培履歴の栽培年が何年間かを算出（以下、栽培年数と称する）し（ステップＳ１０１４）、次いで、連作上限年数から栽培年数を除算する（ステップＳ１０１５）。差分が１以上であるかを判定し（ステップＳ１０１６）、１以上である場合（ステップＳ１０１６  ＹＥＳ）、連作上限年数より栽培年数が短いと判定し、連作障害が起こりにくい判定に対し予め割り当てられた点数を特定する（ステップＳ２）。１以上でない場合（ステップＳ１０１６  ＮＯ）、連作上限年数より栽培年数が長いと判定し、連作障害が起こりやすい判定に対し予め割り当てた点数を特定する（ステップＳ２）。
【０１３４】
更に他の実施態様として、図７に示すように、図５において、農地の栽培履歴に目的の作物と同じ科の作物がないと判定された場合（ステップＳ１０２  ＮＯ）、作物が、農地の栽培履歴の作物の後作に不適な作物であるかを判定してもよい（ステップＳ１０２１）。目的の作物が後作に不適な作物でないと判定された場合（ステップＳ１０２１  ＮＯ）、連作障害が起こりにくい判定に対し予め割り当てられた点数を特定する（ステップＳ２）。一方で、目的の作物が後作に不適な作物であると判定された場合（ステップＳ１０２１  ＹＥＳ）、経過年数を算出し（ステップＳ１０２２）、経過年数が１かを判定する（ステップＳ１０２３）。経過年数が１の場合は、連作となることを意味する。経過年数が１でない場合（ステップＳ１０２３  ＮＯ）、連作障害が起こりにくい判定に対し予め割り当てられた点数を特定する（ステップＳ２）。経過年数が１の場合（ステップＳ１０２３  ＹＥＳ）、連作障害が起こりやすい判定に対し予め割り当てた点数を特定する（ステップＳ２）。
【０１３５】
図８は、目的の農地において栽培に好適な作物を予測する方法のステップＳ１１において、連作障害に関する、上述の項目（２）を比較し点数を決定する方法の一例を説明するフローチャートである。
【０１３６】
まず、好適栽培条件が記載されている作物が、目的の農地の栽培履歴にあるかどうかを判定し（ステップＳ１１１）、目的の農地の栽培履歴にない場合（ステップＳ１１１  ＮＯ）、連作障害が起こりにくい判定に対し予め割り当てられた点数を特定する（ステップＳ１２）。好適栽培条件が記載されている作物が目的の農地の栽培履歴にある場合（ステップＳ１１１  ＹＥＳ）、好適栽培条件が記載されている作物が、目的の農地の栽培履歴の作物と同じ科であるかどうかを判定する（ステップＳ１１２）。栽培履歴の作物と同じ科でないと判定された場合（ステップＳ１１２  ＮＯ）、連作障害が起こりにくい判定に対し予め割り当てられた点数を特定する（ステップＳ１２）。栽培履歴の作物と同じ科であると判定された場合（ステップＳ１１２  ＹＥＳ）、好適栽培条件に記載の作物の項目（２）に、好適休栽年数が含まれているかを判定する（ステップＳ１１３）。好適休栽年数が含まれていないと判定された場合（ステップＳ１１３  ＮＯ）、連作障害が起こりにくい判定に対し予め割り当てられた点数を特定する（ステップＳ１２）。好適休栽年数が含まれていると判定された場合（ステップＳ１１３  ＹＥＳ）、図５に記載のステップＳ１０２と同様、農地の栽培履歴の栽培年の最終年から現在の年までの経過年数を算出する（ステップＳ１１４）。この後のステップは、図５に記載のステップＳ１０４以降と同様であるため、省略する。
【０１３７】
更に、ステップＳ１１３において好適休栽年数が含まれていないと判定された場合、作
物は連作障害が起こりにくい作物であるが、その作物の連作上限年数を超えないかを判断するため、Ｓ１０１２以降と同様に、連作障害になりやすいかなりにくいかを判定し、点数を特定してもよい。
【０１３８】
更なる実施態様として、ステップＳ１１１で、栽培履歴にないと判定された場合（ステップＳ１１１  ＮＯ）、栽培履歴の作物と同じ科でないと判定された場合（ステップＳ１１２  ＮＯ）、及び、ステップＳ１１２で好適休栽年数が含まれていないと判定された場合（ステップＳ１１３  ＮＯ）、図７のステップＳ１０２１と同様、好適栽培条件に記載の作物が、農地の栽培履歴の後作に不適な作物であるかを判定し、図７に記載のステップＳ１０２２以降と同様の判定を行い、点数を特定してもよい。
【０１３９】
なお、本実施の形態で説明した方法は、予め用意されたプログラムをコンピュータに実行させることにより実現することができる。本管理プログラムは、ハードディスク、フレキシブルディスク、ＣＤ−ＲＯＭ、ＢＤ、ＤＶＤ等のコンピュータ可読記録媒体に記録され、コンピュータによって記録媒体から読み出されることによって実行される。また本プログラムは、インターネット等のネットワークを介して配布してもよい。
【符号の説明】
【０１４０】
Ｓ・・・農地管理サーバ、Ｎ・・・ネットワーク、１・・・情報取得部、１１・・・農地情報取得部、１２・・・栽培条件取得部、２・・・要求受付部、３・・・記憶部、４・・・算出部、５・・・出力部、１０１・・・外部データ端末、２０１・・・ユーザ端末
【図１】
2017072900.tif 000013
【図２】
2017072900.tif 000014
【図３】
2017072900.tif 000015
【図４】
2017072900.tif 000016
【図５】
2017072900.tif 000017
【図６】
2017072900.tif 000018
【図７】
2017072900.tif 000019
【図８】
2017072900.tif 000020